(57)【要約】【課題】傾斜面をなす可動盤上のメダルの滑落・移動を円滑にすることで、メダルの進路変化を多様にするとともに、メダルゲーム装置を高さ方向の長さを小型化する。【解決手段】回転円盤２は、その上面に多数の突起部２４を設け、各突起部２４の頂点を結んでなる頂点面をメダルＭが滑落することで、回転円盤２とメダルＭとが点で接するため、回転円盤２にメダルＭが密着せず、回転円盤２にメダルＭが張り付ついてメダルが滑落途中で停止するのを防ぐことができる。また、回転円盤２とメダルＭとの間の摩擦係数が大幅に減少するため、回転円盤２上を円滑に滑落させることができる。【選択図】図３
2006068168.tif 000002
【特許請求の範囲】
【請求項１】
メダルが自重により滑落する滑落面の一部を形成する傾斜した可動盤を備え、
前記可動盤の上面には多数の突起が設けられており、各突起の頂点を結んでなる頂点面をメダルが滑落することを特徴とするメダルゲーム装置。
【請求項２】
前記突起は、略半円球状に形成されてなることを特徴とする請求項１に記載のメダルゲーム装置。
【請求項３】
前記可動盤は、可動基盤と、少なくとも片面に前記突起が設けられた突起面である前記可動基盤に着脱可能な板状体とを有し、前記突起面が上面となるように前記板状体が前記可動基盤上に設置されることを特徴とする請求項１又は２に記載のメダルゲーム装置。
【請求項４】
前記可動基盤の上面には複数のピンが植設され、
前記板状体には前記複数のピンを貫通するための複数の貫通孔が設けられ、
前記板状体は前記貫通孔に前記ピンを貫通することで前記可動基盤上に位置決めして設置され、
前記ピンの前記貫通孔からの突出部分が前記頂点面を滑落するメダルに当接し得る、
ことを特徴とする請求項３に記載のメダルゲーム装置。
【請求項５】
前記可動基盤の上面には複数のピンが植設され、
前記板状体には前記複数のピンを貫通するための複数の貫通孔が設けられ、
前記板状体は前記貫通孔に前記ピンを貫通することで前記可動基盤上に位置決めして設置されるとともに、前記ピンの前記貫通孔からの突出部分に着脱可能なゴム部材が装着されることで前記可動基盤上に固定され、
前記ゴム部材が前記頂点面を滑落するメダルに当接し得る、
ことを特徴とする請求項３に記載のメダルゲーム装置。
【請求項６】
前記板状体の前記突起面における前記貫通孔の周囲には凹部が形成されており、
前記ゴム部材は前記凹部の凹面に当接して装着される、
ことを特徴とする請求項５に記載のメダルゲーム装置。
【請求項７】
前記ゴム部材及び前記ピンの突出部分の一方に係止部が、他方に被係止部が設けられ、係止部と被係止部とが係り合うことで、前記ゴム部材が前記ピンに位置固定されることを特徴とする請求項６に記載のメダルゲーム装置。
【請求項８】
前記可動盤上に、前記頂点面を滑落するメダルに緩衝する複数のゴム部材が設けられていることを特徴とする請求項１に記載のメダルゲーム装置。
【発明の詳細な説明】
【技術分野】
【０００１】
本発明は、投入されたメダルを盤面に沿わせて落下させるメダルゲーム装置に関する。
【背景技術】
【０００２】
投入されたメダルを盤面に沿わせて落下させるメダルゲーム装置においては、盤面を垂直に配置し、盤面に多数のピンや可動式のホッパー、或いは回転する障害物を設けることにより、自重で落下するメダルの進路を振り分けて、ゲームに興趣性を持たせている（例えば、特許文献１参照）。
【特許文献１】特開２００１−１７７３０号公報
【発明の開示】
【発明が解決しようとする課題】
【０００３】
しかし、垂直に配置された盤面に沿ってメダルを落下させた場合、メダルの落下速度が速くなり、すぐにメダルが落下地点に到達してゲームが終了してしまうため、ゲームの面白みに欠ける場合があった。また、メダルの進路変化を多様にするためには、メダルの落下距離を長くする必要があり、盤面の上下方向に長い距離を確保すると筐体が高さ方向に大型化するという問題があった。
【０００４】
そこで、メダルの滑落面となる盤面を筐体の上部奥側から下部手前側に傾斜させる
ことにより、筐体を高さ方向に大型化させることなくメダルの落下距離を長くするこ
とが可能である。しかしながら、盤面を傾斜させた場合、メダルは鉛直下向きの重力
作用で盤面を落下するが、盤面の傾斜が緩いと、メダルが盤面に密着して途中で止
まったり、盤面の摩擦係数との関係で落下速度が極端に遅くなる可能性がある。そこ
で、本出願の発明者は傾斜面の一部を可動部材で構成し、この可動部材の可動によっ
てメダルの進路変化を多様化させつつ、筐体の高さを抑える手法を発明した。
【０００５】
しかしながら、可動部材上のメダルの移動速度が想定していた速度に満たず、回転
盤の定位置からメダルがなかなか移動しなかったり、なかなか回転盤から落下しない
といった場合が起こり得た。また回転盤に対するメダルの相対位置の変化が乏しいた
めに、視覚的な面白みに欠けるといった難点が生じていた。
【０００６】
本発明の課題は、傾斜面をなす可動盤上のメダルの滑落・移動を円滑にすることで、メダルの進路変化を多様にするとともに、メダルゲーム装置の高さ方向の長さを短小化することである。
【課題を解決するための手段】
【０００７】
上記課題を解決するために、第１の発明は、
メダルが自重により滑落する滑落面の一部を形成する傾斜した可動盤を備え、
前記可動盤の上面には多数の突起が設けられており、各突起の頂点を結んでなる頂点面をメダルが滑落することを特徴とするメダルゲーム装置である。
【０００８】
第１の発明によれば、可動盤の上面には多数の突起が設けられており、各突起の頂点を結んでなる頂点面をメダルが滑落することにより、可動盤とメダルとが点で接触するため、可動盤にメダルが密着せず、メダルが滑落途中で止まるといった事態を防止することができる。また、可動盤とメダルとの間の摩擦係数が大幅に低減するため、メダルを円滑に滑落させることができる。
【０００９】
第２の発明は、第１の発明のメダルゲーム装置であって、
前記突起は、略半円球状に形成されてなることを特徴としている。
【００１０】
第２の発明によれば、突起の形状を略半円球状に形成することにより、メダルと各突起とは球面で接することとなり、メダルの側縁にこれらの頂点が引っ掛かることを防止できる。これにより、メダルは円滑に可動盤上を滑落・移動する。
【００１１】
第３の発明は、第１又は第２の発明のメダルゲーム装置であって、
前記可動盤は、可動基盤と、少なくとも片面に前記突起が設けられた突起面である前記可動基盤に着脱可能な板状体とを有し、前記突起面が上面となるように前記板状体が前記可動基盤上に設置されることを特徴としている。
【００１２】
第３の発明によれば、可動盤は、可動基盤と、少なくとも片面に前記突起が設けられた突起面である前記可動基盤に着脱可能な板状体とを有し、前記突起面が上面となるように前記板状体が前記可動基盤上に設置される構成によってなるため、板状体を容易に回転基盤から取り外すことができ、メンテナンス等の手間を省くことができる。
【００１３】
第４の発明は、第３の発明のメダルゲーム装置であって、
前記可動基盤の上面には複数のピンが植設され、
前記板状体には前記複数のピンを貫通するための複数の貫通孔が設けられ、
前記板状体は前記貫通孔に前記ピンを貫通することで前記可動基盤上に位置決めして設置され、
前記ピンの前記貫通孔からの突出部分が前記頂点面を滑落するメダルに当接し得る、
ことを特徴としている。
【００１４】
第４の発明によれば、可動基盤の上面には複数のピンが植設され、板状体には前記複数のピンを貫通するための複数の貫通孔が設けられ、板状体は貫通孔にピンを貫通することで可動基盤上に位置決めして設置されるため、可動基盤上の適切な位置に板状体を設置することができる。また、複数のピンを複数の貫通孔に貫通させることにより、可動基盤の上面で板状体が左右方向に位置ずれするのを防止することができる。さらに、貫通孔からピンを突出させることにより、頂点面から滑落するメダルにピンを当接させて、メダルの進路をランダムに変化させることができる。
【００１５】
第５の発明は、第３の発明のメダルゲーム装置であって、
前記可動基盤の上面には複数のピンが植設され、
前記板状体には前記複数のピンを貫通するための複数の貫通孔が設けられ、
前記板状体は前記貫通孔に前記ピンを貫通することで前記可動基盤上に位置決めして設置されるとともに、前記ピンの前記貫通孔からの突出部分に着脱可能なゴム部材が装着されることで前記可動基盤上に固定され、
前記ゴム部材が前記頂点面を滑落するメダルに当接し得る、
ことを特徴としている。
【００１６】
第５の発明によれば、可動基盤の上面には複数のピンが植設され、板状体には前記複数のピンを貫通するための複数の貫通孔が設けられ、板状体は貫通孔にピンを貫通することで可動基盤上に位置決めして設置されるとともに、前記ピンの前記貫通孔からの突出部分に着脱可能なゴム部材が装着されることで前記可動基盤上に固定されるため、可動基盤上の適切な位置に板状体を固定して設置することができる。また、複数のピンを複数の貫通孔に貫通させることにより、可動基盤の上面で板状体が左右方向に位置ずれするのを防止することができる。さらに、貫通孔からピンを突出させ、この突出部分にゴム部材を装着することにより、頂点面から滑落するメダルにゴム部材を当接させて、メダルの進路をランダムに変化させるとともに、メダルの動きを加勢又は緩和させることができる。
【００１７】
第６の発明は、第５の発明のメダルゲーム装置であって、
前記板状体の前記突起面における前記貫通孔の周囲には凹部が形成されており、
前記ゴム部材は前記凹部の凹面に当接して装着される、
ことを特徴としている。
【００１８】
第６の発明によれば、板状体の突起面における貫通孔の周囲には凹部が形成されており、ゴム部材はこの凹部の凹面に当接して装着されるため、ゴム部材は凹面を介して、板状体を均一に押圧し、板状体を可動基盤に安定して固定することができる。また、ゴム部材の一部が凹部に収容されるため、板状体の各突起の頂点を結んでなる頂点面を滑落してきたメダルはゴム部材の側面下端よりも上方の位置に当接する。これにより、ゴム部材と、板状体との間にメダルが挟み込まれるのを防ぐことができる。
【００１９】
第７の発明は、第６の発明のメダルゲーム装置であって、
前記ゴム部材及び前記ピンの突出部分の一方に係止部が、他方に被係止部が設けられ、係止部と被係止部とが係り合うことで、前記ゴム部材が前記ピンに位置固定されることを特徴としている。
【００２０】
第７の発明によれば、ゴム部材及びピンの突出部分の一方に係止部が、他方に被係止部が設けられ、係止部と被係止部とが係り合うことで、ゴム部材がピンに位置固定されるため、ゴム部材がピンから抜けたりずれたりするのを防いで、板状体を安定して可動基盤上に固定することができる。
【００２１】
第８の発明は、第１の発明のメダルゲーム装置であって、
前記可動盤上に、前記頂点面を滑落するメダルに緩衝する複数のゴム部材が設けられていることを特徴としている。
【００２２】
第８の発明によれば、可動盤上に、頂点面を滑落するメダルに緩衝する複数のゴム部材が設けられているため、メダルがゴム部材に当接した場合に、メダルの動きを緩衝することができ、メダルの飛び跳ねや乱動等の挙動を制御することができる。
【発明の効果】
【００２３】
本発明によれば、傾斜面を有する可動盤上においてメダルを円滑に滑落させることができ、メダルの進路変化を多様にするとともに、メダルゲーム装置の高さ方向の長さを小型化することができる。
【発明を実施するための最良の形態】
【００２４】
以下、図１〜図９を参照して本発明の実施の形態を詳細に説明する。ただし、発明の範囲は、図示例に限定されない。
【００２５】
１．メダルゲーム装置１の構成
図１は、本実施の形態におけるメダルゲーム装置１の正面概観図である。図２に示すように、筐体１０は、基台１０Ａ上に、内部にゲーム空間２０を形成する遊戯部１０Ｂが設けられ、ゲーム空間２０の下方且つ遊戯部１０Ｂの手前側に操作部３０を備えて形成されている。遊戯部１０Ｂの上面は、筐体１０の上端部である上方奥側から下方手前側にかけて傾斜したガラス窓２２で形成されており、このガラス窓２２でゲーム空間２０と外空間との間が仕切られている。また、操作部３０には、メダルＭを貯留するメダル貯留部３２と、ゲーム空間２０にメダルを投入するメダル投入口３６が設けられている。メダル貯留部３２の上部には、筐体１０内のメダルＭを払い出すための払出口３４が設けられている。なお、以下の説明における方向は、ゲームプレイを行うプレーヤの視点に立った方向を指すものとし、図２の上下左右方向を上下左右方向、手前側前方をメダルゲーム装置１の操作部３０側、奥側後方をメダルゲーム装置１の背面側として説明する。
【００２６】
図２は、ゲーム空間２０の要部正面図である。図２に示すように、ゲーム空間２０の上部後端には、ゲーム盤面３ａが略垂直に配置され、ゲーム盤面３ａの中央には、ゲームの進行状況に応じたゲーム画面を表示する表示部１６が設けられている。また、表示部１６をはさんでゲーム盤面３ａの上部両側には、メダル投入口３６（図１参照）からメダルＭが投入されることによりメダルＭを放出する２つの放出口１７が設けられ、その放出口１７の下、ゲーム盤面３ａの中央下部両側には、上下方向の動作により放出されたメダルＭの進路を変化させる１対の可動式フリッパー１８が設けられている。なお、ゲーム盤面３ａの手前側には、表示部１６、放出口１７及び可動式フリッパー１８を覆うように所定の隙間を空けてアクリル製の透明板１９が平行に設けられており、放出口１７から放出されたメダルＭは、その表面をゲーム盤面３ａと平行に保ったまま、ゲーム盤面３ａと透明板１９との隙間空間を落下する。
【００２７】
ゲーム盤面３ａの下方には、ゲーム盤面３ａの下端に連接するゲーム盤面３ｂが、奥側から手前側に向けて下向きに傾斜する姿勢で配置されている。ゲーム盤面３ｂの下方には、その盤面がゲーム盤面３ｂと略面一の位置（より正確には、回転円盤２の盤面がゲーム盤面３ｂの盤面の高さと同一又は若干下となる位置）に設けられた回転円盤２が左右に２つ近接して設けられ、この回転円盤２の上面にはメダルＭの進路を変更させるための複数のピン６０，２６が植設されている。ゲーム盤面３ｂの傾斜面を滑落したメダルＭは、回転円盤２に到達すると回転円盤２の回転動作及びピン６０，２６により、進路変更されながら回転円盤２上を滑落移動する。
【００２８】
回転円盤２の下方手前側には、その上面が回転円盤２の盤面と略面一の位置（より正確には、傾斜面部４ｂの上面が回転円盤２の盤面の高さと同一又は若干下となる位置）に設けられた傾斜面部４ｂと、この傾斜面部４ｂに形成された複数の入賞口４ａとを有するチャッカー部４が、回転円盤２から所定間隔離れて配置されている。このチャッカー部４は、複数の入賞口４ａに進入したメダルＭの通過をそれぞれ検知するための通過センサ（図示せず）を備え、メダルＭの通過が検知された入賞口の種類やメダルＭの通過枚数に応じてプレーヤに特典（例えば、各種イベントの発生やボーナスメダルＭの払出）が付与される。回転円盤２上を滑落移動したメダルＭは、チャッカー部４の傾斜面部４ｂに沿って入賞口４ａに進入するか、入賞口４ａを外れ傾斜面部４ｂに沿って落下する。或いは、チャッカー部４の傾斜面部４ｂに到達せずに、回転円盤２の側端や回転円盤２とチャッカー部４との隙間から落下する。
【００２９】
チャッカー部４の傾斜面部４ｂの下流端部下方であって、伸張時のプッシャープレート８の端部位置上方には、その板面が傾斜面部４ｂの面方向と交差する位置に傾斜板６が設けられている。この傾斜板６は、チャッカー部４の傾斜面部４ｂに沿って落下してきたメダルＭをはじき返して進行方向を転換させ、プッシャープレート８の上面に落下させる作用をする。
【００３０】
ゲーム空間２０の底部には、周期運動の一つとして一定速度で前後方向に往復動を行うプッシャープレート８を有するメダル載置用のゲームフィールド１２が設けられている。プッシャープレート８は、ゲームフィールド１２上に水平に設置された板状のものであり、ゲーム空間２０を落下してきたメダルＭが上面に載置される。このプッシャープレート８が後ろ方向に移動する際に、プッシャープレート８の上面に対して略垂直に設けられた当接部７ａが上面に載置されたメダルＭを押し出し、プッシャープレート８が後ろ方向に移動することによって一時的に露出したゲームフィールド１２にメダルＭを落下させる。
【００３１】
また、プッシャープレート８の前面部８ａは、メダルＭの押出部となっており、プッシャープレート８からゲームフィールド１２に落下したメダルＭを前方側（手前側）に押し出して、ゲームフィールド１２に載置されたメダルＭを玉突き状態として、入賞メダルダクト１３に落下させる。入賞メダルダクト１３に落下したメダルＭは、筐体１０内の払出路（図示せず）を通って、払出口３４からメダル貯留部３２に払い出される。
【００３２】
また、ゲーム空間１０の中央右側には、ゲーム空間１０の所定エリアにボーナスメダルＭを払い出すためのメダルシュータ１４が設けられている。このメダルシュータ１４は、ゲーム空間１０の上部右奥側から湾曲・傾斜して形成され、メダルシュータ１４の先端部が傾斜板６上方に位置するように配置されている。ゲームの進行に応じて、ボーナスメダルＭがメダルシュータ１４から払い出されると、ボーナスメダルＭは、直下の傾斜板６上に落下し、傾斜板６にはじき返されてプッシャープレート８の上面に落下する。
【００３３】
２．回転円盤２の構成
次に、本実施の形態に特徴的な回転円盤２について詳細に説明する。
図３（ａ）は、回転円盤２の上面図であり、図３（ｂ）は、図３（ａ）のIII−III断面図である。図３（ａ）に示すように、回転円盤２はその上面に、略半円球状の突起部２４が多数設けられた突起面を有し、突起部２４は略全面に亘って密集して配設されている。また、回転円盤２の上面には、外周に沿って等間隔に１０本の障害部６０が配設され、この障害部６０は、ピン６１と、ピン６１に着脱可能に装着されるゴム部材６２とから形成される。１０本の障害部６０の内側には金属製の４本のピン２６が略正方形状を成すように配設されている。この障害部６０，ピン２６は、回転円盤２上を滑落するメダルＭに当接して、メダルＭの進路を変化させる作用をする。
【００３４】
続いて、図３（ｂ）に示すように、回転円盤２は、突起面を有する透明な円形板状のアクリル板２Ａと、金属製の円形状の回転基盤２Ｂとを有し、回転基盤２Ｂの上面に突起面が上面となるようにアクリル板２Ａが重ね合わせて形成されている。このアクリル板２Ａは、回転基盤２Ｂより一回り大きい円形状であり、回転基盤２Ｂの上面全部を覆う位置に着脱可能に配設されている。
【００３５】
回転基盤２Ｂの上面には、ピン６１と、ピン２６とが植設され、アクリル板２Ａには、ピン６１と、ピン２６とを貫通させるための貫通孔２８，２９が形成されている。この回転基盤２Ｂに植設されるピン６１，ピン２６を、アクリル板２Ａの貫通孔２８，２９に貫通することで、回転基盤２Ｂ上にアクリル板２Ａを位置決めして配置すると共に、アクリル板２Ａが回転基盤２Ｂの上面で左右方向へ位置ずれするのを防止する。
【００３６】
また、障害部６０は、アクリル板２Ａの上からピン６１にゴム部材６２を装着して形成される。つまり、このゴム部材６２の底面をアクリル板２Ａに当接するようにゴム部材６２をピン６１に装着することにより、１０個のゴム部材６２で回転基盤２Ｂ上にアクリル板２Ａを押圧させて固定支持している。
【００３７】
次に、各部材について説明する。図４（ａ）は、回転基盤２Ｂの上面図であり、図４（ｂ）は、図４（ａ）のIV−IV断面図である。図４（ａ）に示すように、回転基盤４Ｂの上面には、外周に沿って等間隔に１０本のピン６１が植設され、ピン６１の内側には４本のピン２６が略正方形状を成すように植設されている。
【００３８】
また、図４（ｂ）に示すように、ピン６１，ピン２６は、回転基盤２Ｂに対して垂直方向上向きに植設され、その高さは少なくともアクリル板２Ａの厚み以上となるように形成されている。すなわち、アクリル板２Ａの貫通孔２８，２９からピン６１，ピン２６を突出させて、アクリル板２Ａ上を滑落するメダルＭに当接し得るように形成されている。また、ピン６１の頭部には凹形状の係止部６１ａが形成され、ゴム部材６２のずれや抜けを防止する作用をする。回転基盤２Ｂの裏面中央には、図示しない回転駆動装置の駆動軸に接続するための接続部２３が回転円盤２Ｂに対して垂直方向下向きに突出して形成されている。これにより、回転駆動装置の回転駆動力が接続部２３を介して伝達され、回転基盤２Ｂが回転駆動される。
【００３９】
次に、図５を参照してアクリル板２Ａについて説明する。図５（ａ）は、アクリル板２Ａの上面図であり、図５（ｂ）は、図５（ａ）のV−V断面図である。図５（ａ）に示すように、アクリル板２Ａの上面には、略全面に略半円球状の突起部２４が高密度に多数設けられている。すなわち、アクリル板２Ａは、突起部２４の各頂点でメダルＭと接することとなり、メダルＭは各突起部２４の頂点を結んでなる頂点面を滑落することになる。このため、アクリル板２Ａの盤面とメダルＭの表面との間に隙間が生じ、メダルＭがアクリル板２Ａに密着するのを防止することができる。
【００４０】
また、アクリル板２Ａは、突起部２４の各頂点でメダルＭと接するため、アクリル板２Ａの摩擦係数が小さくなり（すなわち、アクリル板２ＡがメダルＭに及ぼす垂直抗力が小さくなり）、メダルＭは円滑にアクリル板２Ａ上を滑落する。さらに、各頂点を作用点としてメダルＭに回転円盤２の回転の作用力が及ぼされるため、メダルＭは適度に回転力の影響を受けて回転円盤２上をランダムに進路変更しながら滑落する。さらに、突起部２４を略半円球状に形成することにより、突起部２４とメダルＭとは球面で接することとなり、メダルＭの側縁に突起部２４が引っ掛かることがなく、メダルＭの進行を妨害することがない。
【００４１】
アクリル板２Ａには、その外周に沿って略等間隔にピン６１を貫通させるための貫通孔２８が、ピン６１の径よりわずかに大きく形成されている。また、貫通孔２８の周囲にはリング状の凹部２７が形成され、この凹部２７の外周径はゴム部材６２の外周径よりわずかに大きく形成されている。さらに、この凹部２７の底面（凹面）は、ゴム部材６２の底面を密着して当接させるため平滑な面に形成されている。これにより、ゴム部材６２のアクリル板２Ａに対する押圧力が凹面に略均一に係り、アクリル板２Ａを回転基盤２Ｂ上に安定して固定させることができる。また、貫通孔２８の内側には、ピン２６を貫通させるための貫通孔２９が、ピン２６の径よりわずかに大きく形成されている。
【００４２】
図５（ｂ）に示すように、突起部２４は、アクリル板２Ａの垂直方向に凸形状となる略半円球状で形成され、その各頂点を結んでなる頂点面は、アクリル板２Ａに平行な面となる。また、凹部２７は、アクリル板２Ａに対して垂直な外周壁と、アクリル板２Ａに対して平行な平滑面底部とから形成され、凹部２７の中央にはアクリル板２Ａに対して垂直な貫通孔２７が設けられている。さらに、貫通孔２８より中心よりに、アクリル板２Ａに垂直な貫通孔２９が４つ、周方向に沿って等間隔に設けられている。
【００４３】
図６は、図３（ｂ）に示す一点鎖線で囲まれた部分Ｘの拡大図である。図６に示すように、ゴム部材６２は略円筒形状に形成され、その頭部はわずかに先細り形状に形成されている。ゴム部材６２の嵌合孔は、ピン６１の径と略同一かわずかに小さく形成され、ピン６１の係止部６１ａに相当する位置の内周には、凸形状の被係止部６２ａが形成されている。つまり、ピン６１にゴム部材６２を装着させると、ピン６１の頭部に形成された被係止部６１ａとゴム部材６２の嵌合孔に形成された被係止部６２ａとが係り合い、ゴム部材６２のずれや抜けを防止する。
【００４４】
ゴム部材６２の底面は、アクリル板２Ａの凹面に当接され、ゴム部材６２の一部は凹部２７に収容されている。つまり、ゴム部材６２は、その底面をアクリル板２Ａの凹面に当接させることにより、当接面を介してアクリル板２Ａを均一に押圧し、アクリル板２Ａを回転基盤２に固定支持する。
【００４５】
また、ゴム部材６２の一部を凹部２７に収容させることで、図６に示すように、アクリル板２Ａの各突起部２４の頂点を結んでなる頂点面を滑落してきたメダルＭをゴム部材６２の側面下端ではなく側面下端の上方に衝突させることができる。これにより、例えば、ゴム部材６２が上部に位置ずれし、ゴム部材６２の底面と凹部２７の底面との間に隙間が生じても、メダルＭがアクリル板２Ａとゴム部材６２との間に挟まれるといった事態を防ぐことができる。
３．作用・効果
【００４６】
以上のように、本実施の形態の回転円盤２は、その上面に多数の突起部２４を設け、各突起部２４の頂点を結んでなる頂点面をメダルＭが滑落することで、回転円盤２とメダルＭとが点で接するため、回転円盤２にメダルＭが密着せず、回転円盤２にメダルＭが張り付ついてメダルが滑落途中で停止するのを防ぐことができる。また、回転円盤２とメダルＭとの間の摩擦係数が大幅に減少するため、回転円盤２上を円滑に滑落させることができる。さらに、回転円盤２の回転の力が、適度にメダルＭに作用して、メダルＭの進路変化をランダムにすることができる。
【００４７】
この結果、傾斜した回転円盤２上をメダルＭが滑落する場合、メダルＭが滑落途中で停止したり、回転円盤２上からなかなか落下できないという事態を防いで、メダルＭの多様な進路変化を実現することができる。これにより、緩やかに傾斜した盤面にてメダルＭの滑落面を形成することができ、メダルゲーム装置１の筐体を高さ方向に小型化することができる。
【００４８】
また、突起部２４の形状を略半円球状に形成することにより、メダルＭと各突起部２４とは球面で接することとなり、メダルＭの側縁にこれらの頂点が引っ掛かることがなく、円滑に回転円盤２上を滑落することができる。また、突起部２４に角等がないため、メダルＭがゲーム盤面３ｂから回転円盤２に円滑に乗り移ることができる。
【００４９】
また、回転円盤２は、回転基盤２Ｂと、片面に突起部２４が設けられたアクリル板２Ａとを有し、アクリル板２Ａは突起部２４が設けられた面が上面となるように、回転基盤２Ｂ上に着脱可能に配置される。これにより、回転基盤２Ｂからアクリル板２Ａを容易に取り外すことができ、メンテナンスの際の手間を省くことができる。また、アクリル板２Ａの表面に設けられた突起部２４が磨耗した場合に、アクリル板２Ａのみを交換することで対応できるため、維持コストを削減することができる。
【００５０】
また、回転基盤２Ｂ上には、複数のピン６１と、ピン２６とが植設され、アクリル板２Ａには、ピン６１と，ピン２６とを貫通させるための複数の貫通孔２８，２９が形成される。そして、アクリル板２Ａは、ピン６１，ピン２６を貫通孔２８，２９に貫通させることで、回転基盤２Ｂ上の適切な位置に位置決めして配置される。また、ピン６１，ピン２６が貫通孔２８，２９で係止されることにより、回転基盤２Ｂの上面でアクリル板２Ａが左右方向に位置ずれすることを防止する。
【００５１】
また、ピン６１，ピン２６は、アクリル板２Ａに突出するように形成され、ピン６１には、ゴム部材６２が着脱可能に装着されることにより、障害部６０を形成している。これにより、障害部６０，ピン２６は、アクリル板２Ａの各突起部２４の頂点を結んでなる頂点面を滑落するメダルＭに当接し、回転円盤２の回転駆動に応じて、メダルＭの進路をランダムに変化させることができる。
【００５２】
アクリル板２Ａの貫通孔２８の周囲には凹部２７が形成されており、ゴム部材６２の底面は、アクリル板２Ａの凹面に当接して装着されている。これにより、ゴム部材６２は、その当接面を介してアクリル板２Ａを均一に押圧し、アクリル板２Ａを回転基盤２に安定して固定することができる。
【００５３】
また、ゴム部材６２の一部を凹部２７に収容させることで、アクリル板２Ａの各突起部２４の頂点を結んでなる頂点面を滑落してきたメダルＭはゴム部材６２の側面下端よりも上方の位置に衝突する。これにより、例えば、ゴム部材６２が上方に位置ずれし、ゴム部材６２の底面と凹部２７の底面との間に隙間が生じても、メダルＭがアクリル板２Ａとゴム部材６２との間に挟まれるといった事態を防止することができる。
【００５４】
ゴム部材６２の嵌合孔の内周には凸形状の被係止部６２ａが設けられ、ピン６１の頭部には、凹形状の係止部６１ａが設けられているため、ピン６１にゴム部材６２を嵌合させたときに、係止部６１ａと被係止部６２ａが係り合い、ゴム部材６２を確実に固定することができる。
【００５５】
また、ピン６１にゴム部材６２を装着して障害部６０を形成することにより、アクリル板２Ａの頂点面を滑落するメダルＭが障害部６０に当接した場合に、メダルＭの動きを緩衝することができ、メダルＭの飛び跳ねや乱動等の挙動を緩和することができる。
【００５６】
４．変形例
なお、本発明の適用は、上記実施の形態に限定されることなく、本発明の趣旨を逸脱しない範囲で適宜変更可能である。例えば、本実施の形態においては、透明なアクリル板２Ａを用いる場合について説明したが、アクリル板に限定されず、合成樹脂板、金属板等であっても良い。また、突起部２４の形状は、摩擦係数を一定のレベルに抑えることができるのであれば半円球形状に限らない。例えば、図７に示すような三角錘形状であっても良い。或いは、その他の直方体形状や円錐形状、角錐形状、半円柱形状、角柱形状等であっても良い。
【００５７】
また、回転円盤２は、アクリル板２Ａと回転基盤２Ｂとにより構成される場合について説明したがこの構成に限定されない。例えば、図８に示すように、回転基盤２Ｃに、ピン６３，ピン２６ｃが植設されるとともに、突起部２４ｃが回転基盤２Ｃに突設される構成であってもよい。この場合、回転基盤２Ｃ上には凹部２７ｃが形成され、ゴム部材６４は、凹部２７ｃ底面に当接してピン６３に装着される。この構成によれば、回転円盤の構成点数を減らすことができる。
【００５８】
さらに、上述した実施の形態では、回転基盤２Ｂにピン６１が植設され、このピン６１にゴム部材６２を装着して障害部６０を形成する場合について説明したがこの構成に限定されない。例えば、図９に示すように、ゴム部材６５の底部に円柱と円錐とが組み合わされた凸形状の被係止部６６を形成し、回転基盤２Ｅに被係止部６６と嵌合する凹形状の係止部６７を形成し、アクリル板２Ｄにゴム部材６５の外周径と略同一径の貫通孔２８ｂを形成する。そして、アクリル板２Ｄの貫通孔２８ｂにゴム部材６５を貫通させると共に、ゴム部材６５の被係止部６６と、回転基盤２Ｅの係止部６７とを嵌合させることにより、アクリル板２Ｄ及びゴム部材６５を回転基盤２Ｅに固定することができる。この構成によれば、アクリル板２Ｄとゴム部材６５との間に隙間が生じないため、アクリル板２Ｄ上を滑落するメダルＭがアクリル板２Ｄと、ゴム部材６５との間に挟み込まれるのを防止することができる。
【００５９】
さらに、上述した実施の形態では、回転円盤２に突起部２４が設けられる場合について説明したが、回転円盤に限定されず、多角形の回転盤に突起部２４が設けられる場合であってもよい。或いは、駆動態様は回転に限定されず、上下、左右に往復スライド等する盤面に突起部が設けられる構成であっても良い。
【図面の簡単な説明】
【００６０】
【図１】本実施の形態のメダルゲーム装置の正面概観図。
【図２】ゲーム空間に係る要部正面図。
【図３】（ａ）回転円盤の上面図、（ｂ）III-III断面図。
【図４】（ａ）回転基盤の上面図、（ｂ）IV-IV断面図。
【図５】（ａ）アクリル板の上面図、（ｂ）V-V断面図。
【図６】回転円盤２の部分拡大図。
【図７】実施の形態の変形例を示す図。
【図８】実施の形態の変形例を示す図。
【図９】実施の形態の変形例を示す図。
【符号の説明】
【００６１】
１                メダルゲーム装置
１０            筐体
１０Ａ        基台
１０Ｂ        遊戯部
２０            ゲーム空間
２            回転円盤
２Ａ        アクリル板
２Ｂ        回転基盤
２４        突起部
２６，６１  ピン
６０        障害部
６２        ゴム部材
２６        ピン
２７        凹部
２８，２９  貫通孔
３ａ，３ｂ    ゲーム盤面
４            チャッカー部
６            傾斜板
８            プッシャープレート
１２          ゲームフィールド
１３          入賞メダルダクト
１４          メダルシュータ
１６          表示部
１８          フリッパー
１９          放出口
３０            操作部
３２          メダル貯留部
３４          払出口
３６          メダル投入口
【図１】
2006068168.tif 000003
【図２】
2006068168.tif 000004
【図３】
2006068168.tif 000005
【図４】
2006068168.tif 000006
【図５】
2006068168.tif 000007
【図６】
2006068168.tif 000008
【図７】
2006068168.tif 000009
【図８】
2006068168.tif 000010
【図９】
2006068168.tif 000011